【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技媒体が進入し易い第１状態と進入不能または進入困難な第２状態とに変化する可変進入手段と、
前記進入領域に進入した遊技媒体を検出する検出手段と、を備え、
前記可変進入手段は、
水平面に対して傾斜しており、遊技媒体が流下する流路の底面として形成され進入領域を開閉する底面部材と、前記進入領域を形成するための形成部と、前記底面部材の下流側に設けられている通路形成部と、を有し、
前記検出手段の検出結果に基づいて、前記第１状態から前記第２状態に変化し、
前記第２状態において、前記底面部材における遊技媒体流動方向の端部の下面と、前記形成部における前記端部に対応する箇所の上面と、の間に所定の隙間が形成され、
前記底面部材と、前記通路形成部と、の間に段差が形成され、
前記検出手段は、前記形成部における前記端部に対応する箇所近傍であって、前記遊技媒体流動方向と交差する遊技機奥側に向けて遊技媒体を誘導する孔部内に設けられる
ことを特徴とする遊技機。
【手続補正２】
【補正対象書類名】明細書
【補正対象項目名】０００７
【補正方法】変更
【補正の内容】
【０００７】
前記課題を解決するために、手段Ａの遊技機は、
遊技が可能な遊技機であって、
遊技媒体が進入し易い第１状態と進入不能または進入困難な第２状態とに変化する可変進入手段と、
前記進入領域に進入した遊技媒体を検出する検出手段と、を備え、
前記可変進入手段は、
水平面に対して傾斜しており、遊技媒体が流下する流路の底面として形成され進入領域を開閉する底面部材と、前記進入領域を形成するための形成部と、前記底面部材の下流側に設けられている通路形成部と、を有し、
前記検出手段の検出結果に基づいて、前記第１状態から前記第２状態に変化し、
前記第２状態において、前記底面部材における遊技媒体流動方向の端部の下面と、前記形成部における前記端部に対応する箇所の上面と、の間に所定の隙間が形成され、
前記底面部材と、前記通路形成部と、の間に段差が形成され、
前記検出手段は、前記形成部における前記端部に対応する箇所近傍であって、前記遊技媒体流動方向と交差する遊技機奥側に向けて遊技媒体を誘導する孔部内に設けられる
ことを特徴としている。
さらに、前記課題を解決するために、手段１の遊技機は、
遊技が可能な遊技機（例えば、パチンコ遊技機１）であって、
遊技媒体（例えば、遊技球）が進入し易い第１状態（例えば、第２大入賞口７１２の開放状態／第２大入賞口９１２の開放状態／第１大入賞口９１３の開放状態）と進入不能または進入困難な第２状態（例えば、第２大入賞口７１２の閉鎖状態／第２大入賞口扉９１１の閉鎖状態／第１大入賞口９１３の閉鎖状態）とに変化する可変進入手段（例えば、第２特別可変入賞球装置７Ｂ／第２特別可変入賞球装置９Ｂ／第１特別可変入賞球装置９Ａ）を備え、
前記可変進入手段は、
遊技媒体が流下する流路の底面（例えば、平坦面７１１ａ）として形成され進入領域（例えば、第２大入賞口７１２／第２大入賞口９１２／第１大入賞口９１３）を開閉する底面部材（例えば、第２大入賞口扉７１１／第２大入賞口扉９１１／第１大入賞口扉９１０）と、
前記進入領域を形成するための形成部（例えば、基体６０１、カバー体６０２、壁体６０３／基体９０１、カバー体９０２、壁体）と、
を有し、
前記第２状態において、前記底面部材における遊技媒体流動方向の端部（例えば、左側端部７１１ｂ／左側端部９１０ｂ）の下面と、前記形成部における前記端部に対応する箇所（例えば、延設片６０３ｂ）の上面と、の間に所定の隙間が形成される（例えば、第２大入賞口扉７１１の左側端部７１１ｂの下面と延設片６０３ｂの上端縁との間に隙間Ｃが形成されている。図６参照。）
ことを特徴としている。
この特徴によれば、遊技媒体が底面部材と形成部とで挟まれ強固に保持されてしまうことを回避することができる。
【手続補正３】
【補正対象書類名】明細書
【補正対象項目名】０００８
【補正方法】変更
【補正の内容】
【０００８】
手段２の遊技機は、手段１に記載の遊技機であって、
前記隙間（例えば、隙間Ｃ）の寸法は、遊技媒体（例えば、遊技球）の直径の半分以上（例えば、所定寸法Ｌ１は、所定寸法Ｌ２よりも長寸であるとともに、遊技球の半径Ｒ２よりも長寸である。）である
ことを特徴としている。
この特徴によれば、遊技媒体が底面部材と形成部との間に強固に保持されてしまうことをより一層回避することができる。
【手続補正４】
【補正対象書類名】明細書
【補正対象項目名】０００９
【補正方法】変更
【補正の内容】
【０００９】
手段３の遊技機は、手段１または２に記載の遊技機であって、
前記底面部材（例えば、第２大入賞口扉７１１／第２大入賞口扉９１１／第１大入賞口扉９１０）の下流側に通路形成部（例えば、延設片６０３ｂ／延設片９０３ｃ）が設けられ、
前記底面部材は、水平面に対し傾斜して配置され（例えば、第２大入賞口扉７１１は、その上部が平坦面７１１ａに形成されているとともに、所定角度（図６に示す角度θ１）の傾斜を成すように設けられている。）、該底面部材と前記通路形成部との間に段差が形成されている（第２大入賞口扉７１１と延設片６０３ｂとの間には段差が形成されている。図６参照。）
ことを特徴としている。
この特徴によれば、底面部材と形成部とで挟まれ保持された遊技媒体を、下流側へ逃がしやすくすることができる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記可変進入手段（例えば、第２特別可変入賞球装置７Ｂ／第２特別可変入賞球装置９Ｂ／第１特別可変入賞球装置９Ａ）は、前記進入領域（例えば、第２大入賞口７１２／第２大入賞口９１２／第１大入賞口９１３）から進入した遊技媒体（例えば、遊技球）を特定領域（例えば、主経路７４０／主経路９４０）と非特定領域（例えば、分岐路７４１／分岐路９４１）とのいずれかに振り分ける振分部材（例えば、規制部材７２１／第１規制部材９２１）を有し、
前記可変進入手段の開放期間外での遊技媒体の進入に対して異常入賞であるか否かを判定する判定手段を備える（例えば、ＣＰＵ１０３は、該遊技球の第２カウントスイッチ２４Ａの通過に基づいて、第２特別可変入賞球装置７Ｂの開放期間外での異常入賞であるか否かを判定する。）
ことを特徴としている。
この特徴によれば、通常遊技での異常入賞の頻度が低下するため、異常入賞による異常入賞判定の発生を回避することができる。
【手続補正６】
【補正対象書類名】明細書
【補正対象項目名】００１１
【補正方法】変更
【補正の内容】
【００１１】
手段５の遊技機は、手段１〜４のいずれかに記載の遊技機であって、
前記底面部材（例えば、第２大入賞口扉９１１）を遊技媒体（例えば、遊技球）が通過するのに要する期間が長くなるようにするための遅延手段（例えば、規制片９６５）を備え、
前記可変進入手段（例えば、第２特別可変入賞球装置９Ｂ）の開放期間において複数個の遊技媒体が進入可能となる（例えば、第２大入賞口９１２が開放状態となったときには、１回の開放制御によって第２大入賞口９１２が短時間開放されたときであっても、同時に３個の遊技球が第２大入賞口９１２に進入することが可能となっている。図１７参照。）
ことを特徴としている。
この特徴によれば、短い開放期間でも可変進入手段に複数の遊技媒体を一斉に進入させることが可能となるので、遊技の興趣が向上する。